(57)【要約】【課題】  内蔵の補助電源を使用し、電子機器動作時の過大な消費電流を軽減する際の電池残量予測を正確に行うことで、電池を可及的に有効利用する電子機器の制御方法を提供することを目的とする。【解決手段】  補助的に使用する内蔵電源と、内蔵電源を充電する充電制御回路と、内蔵電源の電圧値を検出する電圧検出回路と、電池に接続する擬似負荷と、電池の電圧値を検出する電圧検出回路と、システム制御回路。【選択図】        図１
2006090735.tif 000002
【特許請求の範囲】
【請求項１】
複数の入力電源から駆動が可能で、各種モードでの消費電力を擬似負荷に対して前記入力電源から定電流を供給した際の電圧降下に前記各種モードに対応する負荷試験係数を乗算した乗算値に基づいて前記各種モードでの消費電力を予測する予測手段を備えた電子機器において、同一のモードに複数の負荷試験係数を持ち、
前記入力電源の供給状況に応じて複数の負荷試験係数を切り替えて制御する事を特徴とする電子機器の制御方法。
【請求項２】
電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第一の外部電源から前記内蔵電源を充電するための充電制御回路１と、
前記第一の外部電源から前記電子機器に電力供給する際に入り切りするＳＷ１と、
前記内蔵電源から前記電子機器に電力供給する際に入り切りするＳＷ２と、
前記ＳＷ１、及びＳＷ２を制御する為のＳＷ制御回路１から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【請求項３】
電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
ＡＣ電源から前記電子機器に電力を供給する第二の外部電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第二の外部電源の電圧を検出する為の電圧検出手段３と、
前記第一の外部電源から前記内蔵電源を充電するための充電制御回路１と、
前記第一の外部電源から前記電子機器に電力供給する際に入り切りするＳＷ１と、
前記内蔵電源から前記電子機器に電力供給する際に入り切りするＳＷ２と、
前記第二の外部電源から前記電子機器に電力供給する際に入り切りするＳＷ３と、
前記ＳＷ１、ＳＷ２、及びＳＷ３を制御する為のＳＷ制御回路２から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【請求項４】
前記第二の外部電源から前記内部電源を充電するための充電制御回路２を備える事を特徴とする、請求項３に記載の電子機器の制御方法。
【請求項５】
前記第二の外部電源から前記第一の外部電源を充電するための充電制御回路３を備える事を特徴とする、請求項３または請求項４に記載の電子機器の制御方法。
【請求項６】
電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
ＡＣ電源から前記電子機器に電力を供給する第二の外部電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第二の外部電源の電圧を検出する為の電圧検出手段３と、
前記第二の外部電源から前記内部電源を充電するための充電制御回路２と、
前記第一の外部電源から前記電子機器に電力供給する際に入り切りするＳＷ１と、
前記内蔵電源から前記電子機器に電力供給する際に入り切りするＳＷ２と、
前記第二の外部電源から前記電子機器に電力供給する際に入り切りするＳＷ３と、
前記ＳＷ１、ＳＷ２、及びＳＷ３を制御する為のＳＷ制御回路２から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【請求項７】
電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
ＡＣ電源から前記電子機器に電力を供給する第二の外部電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第二の外部電源の電圧を検出する為の電圧検出手段３と、
前記第二の外部電源から前記内部電源を充電するための充電制御回路２と、
前記第二の外部電源から前記第一の外部電源を充電するための充電制御回路３と、
前記第一の外部電源から前記電子機器に電力供給する際に入り切りするＳＷ１と、
前記内蔵電源から前記電子機器に電力供給する際に入り切りするＳＷ２と、
前記第二の外部電源から前記電子機器に電力供給する際に入り切りするＳＷ３と、
前記ＳＷ１、ＳＷ２、及びＳＷ３を制御する為のＳＷ制御回路２から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【請求項８】
前記内部電源に接続する擬似負荷２を備える事を特徴とする、請求項２〜７のいずれかに記載の電子機器の制御方法。
【請求項９】
前記内部電源は、任意の容量に変更する事が可能である事を特徴とする、請求項２〜８のいずれかに記載の電子機器の制御方法。
【発明の詳細な説明】
【技術分野】
【０００１】
本発明は、電子機器に着脱可能な一次電池、或るいは二次電池、或いはＡＣアダプターである外部電源と、電子機器に内蔵された補助的な二次電池、或いは大容量キャパシターである内蔵電源から駆動する電子機器の制御方法に関するものである。
【背景技術】
【０００２】
従来、電池から電子機器を駆動させる際の電池残量検知手段として、例えば特許文献１にあるように、電子機器の動作状態を考慮して、擬似負荷による電圧降下に所定の負荷試験係数を掛ける事による演算手段により、電子機器動作時の電圧降下を予測し、所定の閾値と比較する事で電池の残量を判断する方法があった。
【特許文献１】特開２００１−３３９６３０号公報
【発明の開示】
【発明が解決しようとする課題】
【０００３】
従来の電池残量検知手段では、例えば電池の消費を抑える事を目的とする補助的な電源を接続した場合において、接続しない場合と同じ負荷試験係数を使っていたのでは、まだ動作可能であるにも拘らず、電子機器の動作を止めてしまう、或いは動作環境を制限するという事が考えられる。
【０００４】
本発明は、このような背景の下になされたもので、その課題は、入力、或いは内蔵されている電源に応じて、同一のモードに対しても複数の負荷試験係数を切り替えて制御する事により、電池を可及的に有効利用できるようにする事にある。
【０００５】
本請求項１〜８に記載した発明では、複数の入力電源から駆動が可能な電子機器において、入力電源の供給状況に応じて電池を可及的に有効利用できる電子機器の制御方法を提供する事を第一の目的とする。
【０００６】
本願の請求項９に記載した発明では、ユーザーが任意に電子機器に内蔵されている補助的な電源の容量を入れ替えて使用する事ができ、かつ入力電源の供給状況に応じて電池を可及的に有効利用できる電子機器の制御方法を提供する事を第二の目的とする。
【課題を解決するための手段】
【０００７】
この発明は下記の構成を備えることにより上記課題を解決できるものである。
【０００８】
（１）複数の入力電源から駆動が可能で、各種モードでの消費電力を擬似負荷に対して前記入力電源から定電流を供給した際の電圧降下に前記各種モードに対応する負荷試験係数を乗算した乗算値に基づいて前記各種モードでの消費電力を予測する予測手段を備えた電子機器において、同一のモードに複数の負荷試験係数を持ち、前記入力電源の供給状況に応じて複数の負荷試験係数を切り替えて制御する電子機器の制御方法。
【０００９】
（２）電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第一の外部電源から前記内蔵電源を充電するための充電制御回路１と、
前記第一の外部電源から前記電子機器に電力供給する際に入り切りするＳＷ１と、
前記内蔵電源から前記電子機器に電力供給する際に入り切りするＳＷ２と、
前記ＳＷ１、及びＳＷ２を制御する為のＳＷ制御回路１から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【００１０】
（３）電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
ＡＣ電源から前記電子機器に電力を供給する第二の外部電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第二の外部電源の電圧を検出する為の電圧検出手段３と、
前記第一の外部電源から前記内蔵電源を充電するための充電制御回路１と、
前記第一の外部電源から前記電子機器に電力供給する際に入り切りするＳＷ１と、
前記内蔵電源から前記電子機器に電力供給する際に入り切りするＳＷ２と、
前記第二の外部電源から前記電子機器に電力供給する際に入り切りするＳＷ３と、
前記ＳＷ１、ＳＷ２、及びＳＷ３を制御する為のＳＷ制御回路２から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【００１１】
（４）前記第二の外部電源から前記内部電源を充電するための充電制御回路２を備える事を特徴とする、前記（３）に記載の電子機器の制御方法。
【００１２】
（５）前記第二の外部電源から前記第一の外部電源を充電するための充電制御回路３を備える事を特徴とする、前記（３）または（４）に記載の電子機器の制御方法。
【００１３】
（６）電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
ＡＣ電源から前記電子機器に電力を供給する第二の外部電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第二の外部電源の電圧を検出する為の電圧検出手段３と、
前記第二の外部電源から前記内部電源を充電するための充電制御回路２と、
前記第一の外部電源から前記電子機器に電力供給する際に入り切りするＳＷ１と、
前記内蔵電源から前記電子機器に電力供給する際に入り切りするＳＷ２と、
前記第二の外部電源から前記電子機器に電力供給する際に入り切りするＳＷ３と、
前記ＳＷ１、ＳＷ２、及びＳＷ３を制御する為のＳＷ制御回路２から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【００１４】
（７）電子機器に着脱可能な一次電池、或るいは二次電池１である第一の外部電源から駆動する前記電子機器において、該電子機器は、前記電子機器に内蔵された補助的な二次電池２、或いは大容量キャパシターである内蔵電源と、
ＡＣ電源から前記電子機器に電力を供給する第二の外部電源と、
前記第一の外部電源の電池電圧値を検出する為の電圧検出回路１と、
前記第一の外部電源に接続する擬似負荷１と、
前記内蔵電源の電圧を検出する為の電圧検出回路２と、
前記第二の外部電源の電圧を検出する為の電圧検出手段３と、
前記第二の外部電源から前記内部電源を充電するための充電制御回路２と、
前記第二の外部電源から前記第一の外部電源を充電するための充電制御回路３と、
前記第一の外部電源から前記電子機器に電力供給する際に入り切りするＳＷ１と、
前記内蔵電源から前記電子機器に電力供給する際に入り切りするＳＷ２と、
前記第二の外部電源から前記電子機器に電力供給する際に入り切りするＳＷ３と、
前記ＳＷ１、ＳＷ２、及びＳＷ３を制御する為のＳＷ制御回路２から構成され、
前記第一の外部電源のみから前記電子機器に電力を供給する際に、前記電子機器の各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数１と、
前記第一の外部電源と前記内蔵電源から前記電子機器に電力を供給する際に、前記電子機器の前記各種モードでの消費電力を、前記擬似負荷１の接続により擬似負荷に対して前記第一の外部電源からの定電流を供給した際の電圧降下に前記各種モードに対応する係数を乗算した乗算値に基づいて前記各種モードでの消費電力を予測する為の負荷試験係数２を切り替える事により、前記第一の外部電源の電池残量を予測する事を特徴とする電子機器の制御方法。
【００１５】
（８）前記内部電源に接続する擬似負荷２を備える事を特徴とする、前記（２）〜（７）のいずれかに記載の電子機器の制御方法。
【００１６】
（９）前記内部電源は、任意の容量に変更する事が可能である事を特徴とする、前記（２）〜（８）のいずれかに記載の電子機器の制御方法。
【発明の効果】
【００１７】
本発明によれば、電子機器は、内蔵された二次電池、或いは大容量のキャパシターが、電子機器動作時の過渡的な大電流を、充電により蓄えた電荷により賄う事ができるかどうかを予測し、その結果に応じて適正な電池の残量を検出することが可能である。よって、この電子機器の制御方法を提供することにより、従来のように、電池残量検知手段では、例えば電池の消費を抑える事を目的とする補助的な電源を接続した場合において、接続しない場合と同じ負荷試験係数を使っていたのでは、まだ電子機器を駆動できるだけの電池残量があっても、駆動できないと誤判断する、或いは動作環境を制限する、といった問題を回避し電池を可及的に有効利用する事ができる。
【発明を実施するための最良の形態】
【００１８】
以下、本発明の実施の形態について図を用いて説明する。
【実施例】
【００１９】
図１は、本発明の特徴を最もよく表す図面であり、同図にあるように、一次電池、二次電池などの外部電源１００と、ＡＣ電源などの外部電源１０１と、外部電源と電子機器を接続するための接続コネクタ１０２、１０３、１０４、１０５と、電子機器に内蔵された内蔵電源１０６と、外部電源１００、或いは外部電源１０１から内蔵電源１０６を充電するための充電制御回路１０７と、外部電源１００から電子機器に電力供給する際に入り切りするＳＷ１０８と、外部電源１０１から電子機器に電力供給する際に入り切りするＳＷ１０９と、内蔵電源１０６から電子機器に電力供給する際に入り切りするＳＷ１１０と、外部電源１００、或いは外部電源１０１、或いは内蔵電源１０６の電圧から電子機器内部で必要とする電圧に変換するＤＣ／ＤＣコンバータ１１１と、外部電源１００の電圧値を検出するための電圧検出回路１１２と、外部電源１０１の電圧値を検出するための電圧検出回路１１３と、内蔵電源１０６の電圧値を検出するための電圧検出回路１１４と、外部電源１００に接続する擬似負荷１１５と、内蔵電源１０６に接続する擬似負荷１１６と、ＳＷ１０８、ＳＷ１０９、ＳＷ１１０を制御するＳＷ制御回路１１７と、電子機器のシステム制御回路１１８から構成される電子機器に関するものである。
【００２０】
１００は電子機器に着脱可能な外部電源で、例えば、アルカリ電池やリチウム電池等の一次電池や、ＮｉＣｄ電池、ＮｉＭｈ電池、リチウム電池等の二次電池などの電池である。
【００２１】
１０６は電子機器の動作中、過渡的に大電流が消費される場合に、内蔵電源に蓄積された電荷により過渡的な大電流を賄う事で、外部電源１００に対する負荷を軽減し、電池を可及的に有効利用するため、補助的に使用される予め電子機器に内蔵された二次電池、或いは大容量キャパシターである。その容量については、標準で装備されている以外にも、パソコンのメモリと同様に、予め用意されているラインナップの中から、ユーザーが任意に選択し、交換及び追加する事ができるものである。
【００２２】
１０７は外部電源１００、或いは外部電源１０１から内蔵電源１０６を充電するための回路であり、充電する際のタイミング、充電時間、充電電流はシステム制御回路１１８により制御されている。例えば、過渡的な大電流が発生しない低消費電流モード時に充電を行い、外部電源１００への負荷が大きくならないように低い定電流制御での充電とし、電圧検出回路１１３により満充電に必要な時間だけ充電する、或いは、内蔵電源への充電を許可した低消費電流モード終了時まで充電する制御である。この制御により、システム制御回路１１８は、内蔵電源１０６に蓄積された電荷を判断する。
【００２３】
１０８は外部電源１００から電子機器に電力供給する際に入り切りするＳＷであり、外部電源１０１、或いは内蔵電源からの電力供給がある場合はＳＷをオフする、或いは外部電源１００からＤＣ／ＤＣコンバータ１１１への一方向にのみ電流を流し、逆方向には電流が流れないように構成され、ＳＷ制御回路１１７により制御されている。
【００２４】
１０９は外部電源１０１から電子機器に電力供給する際にオンするＳＷであり、外部電源１００、或いは内蔵電源からの電力供給がある場合はＳＷをオフする、或いは外部電源１０１からＤＣ／ＤＣコンバータ１１１への一方向にのみ電流を流し、逆方向には電流が流れないように構成され、ＳＷ制御回路１１７により制御されている。
【００２５】
１１０は内蔵電源１０６から電子機器に電力供給する際にオンするＳＷであり、電子機器の限られたブロック、或いは特定の負荷パターン接続時においてのみ、補助的に使用されるため、それ以外の電子機器動作時においてはＳＷはオフするように構成され、ＳＷ制御回路１１７により制御されている。また、外部電源１０１からの電力供給がある場合は常にＳＷをオフするように構成され、ＳＷ制御回路１１７により制御されている。
【００２６】
１１２は外部電源１００の電池電圧を測定するＡ／Ｄ変換器であり、接続された外部電源１００の電圧値をデジタル値に変換してシステム制御回路１１８にデータを送る。
【００２７】
１１４は内蔵電源１０６の電池電圧を測定するＡ／Ｄ変換器であり、内蔵された内蔵電源１０６の電圧値をデジタル値に変換してシステム制御回路１１８にデータを送る。
【００２８】
１１３は外部電源１０１が接続されているかどうかを検出するための検出手段であり、１１２、及び１１４と同じくＡ／Ｄ変換器による回路構成、もしくはある閾値でＯＮ／ＯＦＦする回路構成である。
【００２９】
１１５は外部電源１００に接続する疑似負荷であり、外部電源１００に対して定電流の負荷回路となっている。電子機器の中で電流を大幅に消費する回路を動かす場合に、回路の駆動中に電力が足りなくなって動作が不安定になることは避けなければならない。そのためには、あらかじめ所定の値に設定された定電流の負荷回路の擬似負荷１１５を外部電源１００に接続して、そのときの電圧降下を電圧検出回路１１２で測定することにより、外部電源１００の電圧降下を次式で示すように予測する。
【００３０】
（外部電源１００の電圧降下）＝（擬似負荷１１５による電圧降下）×（負荷試験係数Ａ１）。負荷試験係数Ａ１は、動かす回路の電力が擬似負荷１１５接続時の消費電力の何倍に相当するかにより決定する。負荷試験係数値は電子機器を動かす上で電流を大幅に消費する回路動作時毎にそれぞれ設定して、不揮発性メモリ等に保存しておく。
【００３１】
もし、電圧降下を予測する演算結果が回路を動作させるために必要な電圧値を下回った場合は、次の回路駆動は行わない等の保護処理を行う。
【００３２】
１１６は内蔵電源１０６に接続する疑似負荷であり、内蔵電源１０６に対して定電流の負荷回路となっている。上述した通り、過渡的な大電流消費時の電源供給において、蓄積された電荷で賄えるか否かを判断しなければならない。そのためには、あらかじめ所定の値に設定された定電流の負荷回路である擬似負荷１１６を内蔵電源１０６に接続して、そのときの電圧降下を電圧検出回路１１４で測定することにより、過渡的な大電流を供給する際の内蔵電源の電圧降下を次式で示すように予測する。
【００３３】
（内蔵電源１０６の電圧降下）＝（擬似負荷１１６による電圧降下）×（負荷試験係数Ｂ）。負荷試験係数Ｂは、過渡的な大電流を内蔵電源で賄う際の電力が擬似負荷１１６接続時の消費電力の何倍に相当するかにより決定する。負荷試験係数値は電子機器を動かす上で過渡的に大電流を消費する負荷パターン毎にそれぞれ設定して、不揮発性メモリ等に保存しておく。
【００３４】
ここで、上述した外部電源１００に対する負荷試験係数は、内蔵電源１０６の電圧降下を予測する演算結果が過渡的な大電流を賄うために必要な電圧値を上回った場合の負荷試験係数Ａを負荷試験係数Ａ１とし、内蔵電源１０６の電圧降下を予測する演算結果が過渡的な大電流を賄うために必要な電圧値を下回った場合の負荷試験係数Ａを負荷試験係数Ａ２として、それぞれ別々に設定し、不揮発性メモリ等に保存しておく。
【００３５】
次に、本発明の一実施形態として画像処理装置を用いて説明する。
【００３６】
図２は、画像処理装置の概略構成を示すブロック図であり、図１と共通の要素には同じ符号が付されている。
【００３７】
同図において、２００は画像処理装置である。１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。
【００３８】
１８は撮像素子１４、Ａ／Ｄ変換器１６及びＤ／Ａ変換器２６にクロック信号や制御信号を供給するタイミング発生回路であり、メモリ制御回路２２及びシステム制御回路１１８により制御される。
【００３９】
２０は画像処理回路であり、Ａ／Ｄ変換器１６からのデータ或いはメモリ制御回路２２からのデータに対して所定の画素補間処理や色変換処理を行う。
【００４０】
また、画像処理回路２０においては、撮像した画像データを用いて所定の演算処理を行い、得られた演算結果に基づいてシステム制御回路１１８が露光制御手段４０及び測距制御手段４２に対して制御を行う、ＴＴＬ（スルー・ザ・レンズ）方式のＡＦ（オートフォーカス）処理、ＡＥ（自動露出）処理、及びＥＦ（フラッシュプリ発光）処理を行っている。
【００４１】
さらに、画像処理回路２０においては、撮像した画像データを用いて所定の演算処理を行い、得られた演算結果に基づいてＴＴＬ方式のＡＷＢ（オートホワイトバランス）処理も行っている。
【００４２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００４３】
Ａ／Ｄ変換器１６のデータが画像処理回路２０及びメモリ制御回路２２を介して、或いはＡ／Ｄ変換器１６のデータが直接メモリ制御回路２２を介して、画像表示メモリ２４或いはメモリ３０に書き込まれる。
【００４４】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００４５】
画像表示部２８を用いて撮像した画像データを逐次表示すれば、電子ファインダ機能を実現することが可能である。
【００４６】
また、画像表示部２８は、システム制御回路１１８の指示により任意に表示をＯＮ／ＯＦＦすることが可能であり、表示をＯＦＦにした場合には画像処理装置２００の電力消費を大幅に低減することが出来る。
【００４７】
さらに、画像表示部２８は、回転可能なヒンジ部によって画像処理装置２００本体と結合されており、自由な向き、角度を設定して電子ファインダ機能や再生表示機能、及び各種表示機能を使用することが可能である。
【００４８】
また、画像表示部２８の表示部分を画像処理装置２００に向けて格納することが可能であり、この場合は画像表示部開閉検知手段（不図示）により、格納状態を検知して画像表示部２８の表示動作を停止することが出来る。
【００４９】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００５０】
また、メモリ３０はシステム制御回路１１８の作業領域としても使用することが可能である。
【００５１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００５２】
４０は絞り機能を備えるシャッター１２を制御する露光制御手段であり、フラッシュ４０４と連携することによりフラッシュ調光機能も有するものである。
【００５３】
４２は撮影レンズ１０のフォーカシングを制御する測距制御手段である。
【００５４】
露光制御手段４０及び測距制御手段４２はＴＴＬ方式を用いて制御されており、撮像した画像データを画像処理回路２０によって演算した演算結果に基づき、システム制御回路１１８が露光制御手段４０及び測距制御手段４２に対して制御を行う。
【００５５】
４４は撮影レンズ１０のズーミングを制御するズーム制御手段、４６はバリアである保護手段２０２の動作を制御するバリア制御手段である。４８はコネクタであり、アクセサリーシューとも呼ばれ、フラッシュ装置４００との電気接点や機械的な固定手段も合わせて備えている。
【００５６】
１１８は画像処理装置２００全体を制御するシステム制御回路、５２はシステム制御回路１１８の動作用の定数、変数、プログラム等を記憶するメモリである。
【００５７】
５４はシステム制御回路１１８でのプログラムの実行に応じて、文字、画像、音声等を用いて動作状態やメッセージ等を表示する液晶表示装置、スピーカー等の表示部であり、画像処理装置２００の操作部近辺の視認し易い位置に単数或いは複数個所設置され、例えばＬＣＤやＬＥＤ、発音素子等の組み合わせにより構成されている。
【００５８】
また、表示部５４は、その一部の機能が光学ファインダ２０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体３００及び３１０の着脱状態表示、通信Ｉ／Ｆ動作表示、及び日付・時刻表示、等がある。
【００５９】
また、表示部５４の表示内容のうち、光学ファインダ２０４内に表示するものとしては、合焦表示、手振れ警告表示、フラッシュ充電表示、シャッタースピード表示、絞り値表示、露出補正表示、等がある。
【００６０】
５６は電気的に消去・記録可能な不揮発性メモリであり、例えばＥＥＰＲＯＭ等が用いられる。６０、６２、６４、６６、６８及び７０は、システム制御回路１１８の各種の動作指示を入力するための操作手段であり、スイッチやダイアル、タッチパネル、視線検知によるポインティング、音声認識装置等の単数或いは複数の組み合わせで構成される。
【００６１】
ここで、これらの操作手段の具体的な説明を行う。
【００６２】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００６３】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００６４】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体３００或いは３１０に画像データを書き込む記録処理という一連の処理の動作開始を指示する。
【００６５】
６６は画像表示ＯＮ／ＯＦＦスイッチで、画像表示部２８のＯＮ／ＯＦＦを設定することが出来る。この機能により、光学ファインダ２０４を用いて撮影を行う際に、ＴＦＴ  ＬＣＤ等から成る画像表示部への電流供給を遮断することにより、省電力を図ることが可能となる。
【００６６】
６８は単写／連写スイッチで、シャッタースイッチＳＷ２を押した場合に１駒の撮影を行って待機状態とする単写モードとシャッタースイッチＳＷ２を押している間は連続して撮影を行い続ける連写モードとを設定することが出来る。
【００６７】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動プラス（＋）ボタン、メニュー移動マイナス（−）ボタン、再生画像移動プラス（＋）ボタン、再生画像移動（−）マイナスボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生モードスイッチ、撮影モード状態において、撮影した画像をメモリ３０或いは記録媒体３００或いは３１０から読み出して画像表示部２８によって表示する再生動作の開始を指示する再生スイッチ等がある。
【００６８】
８０は電源制御手段で、詳細は上述した図１の説明の通り、充電制御回路、ＳＷ、ＳＷ制御回路、ＤＣ／ＤＣコンバータ、電圧検出回路、擬似負荷等により構成されており、電子機器への電力の供給、内蔵電源への充電、ＳＷの切り替え制御、電源残量の検出を行う。
【００６９】
１００は一次電池、二次電池などの外部電源、１０１はＡＣ電源などの外部電源、１０２、１０３、１０４、１０５は外部電源と電子機器を接続するための接続コネクタ、１０６は電子機器に内蔵された内蔵電源である。
【００７０】
９０及び９４はコネクタであり、メモリカードやハードディスク等の記録媒体とのインターフェース、９２及び９６はメモリカードやハードディスク等の記録媒体と接続を行う機能を有し、９８は記録媒体着脱検知手段であり、コネクタ９２及び／或いは９６に記録媒体３００或いは３１０が装着されているか否かを検知する機能を有する。
【００７１】
なお、本実施形態では、記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００７２】
インターフェース及びコネクタとしては、ＰＣＭＣＩＡカードやＣＦ（コンパクトフラッシュ（登録商標））カード等の規格に準拠したものを用いて構成して構わない。
【００７３】
インターフェース９０及び９４、そしてコネクタ９２及び９６をＰＣＭＣＩＡカードやＣＦ（コンパクトフラッシュ（登録商標））カード等の規格に準拠したものを用いて構成した場合、規格の中に設定されているデバイスの判断手段により、接続されたデバイスを判断できる。
【００７４】
２０２は、画像処理装置２００のレンズ１０を含む撮像部を覆う事により、撮像部の汚れや破損を防止するバリアである保護手段である。２０４は光学ファインダであり、画像表示部２８による電子ファインダ機能を使用すること無しに、光学ファインダのみを用いて撮影を行うことが可能である。
【００７５】
また、光学ファインダ２０４内には、表示部５４の一部の機能、例えば、合焦表示、手振れ警告表示、フラッシュ充電表示、シャッタースピード表示、絞り値表示、及び露出補正表示などが設置されている。
【００７６】
不図示の画像表示部開閉検知手段は、画像表示部２８が、画像表示部２８の表示部分を画像処理装置２００に向けて格納した格納状態にあるかどうかを検知することが出来る。ここで、格納状態にあると検知したならば画像表示部２８の表示動作を停止して、不要な電力消費を禁止することが可能である。
【００７７】
２１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００７８】
２１２は通信手段２１０により画像処理装置２００を他の機器と接続するコネクタ或いは無線通信の場合はアンテナである。
【００７９】
３００はメモリカードやハードディスク等の記録媒体である。記録媒体３００は、半導体メモリや磁気ディスク等から構成される記録部３０２と、画像処理装置２００とのインターフェース３０４と、画像処理装置２００と接続を行うコネクタ３０６とを備えている。
【００８０】
３１０はメモリカードやハードディスク等の記録媒体である。この記録媒体３１０は、半導体メモリや磁気ディスク等から構成される記録部３１２、画像処理装置２００とのインターフェース３１４、画像処理装置２００と接続を行うコネクタ３１６を備えている。
【００８１】
４００はフラッシュ装置である。４０２は画像処理装置２００のアクセサリーシューと接続するためのコネクタである。
【００８２】
４０４はフラッシュであり、ＡＦ補助光の投光機能、フラッシュ調光機能も有する。
【００８３】
次に、図３乃至図６を参照して、本実施形態の動作を説明する。
【００８４】
図３乃至図５は、本実施形態の画像処理装置２００の主ルーチンのフローチャートであり、このフローチャートに従ったプログラムを、メモリ５２内の記憶装置に格納し動作することにより、本実施形態の制御方法を実現させることが可能となる。
【００８５】
同図を用いて、画像処理装置２００の動作を説明する。電池交換等の電源投入により、システム制御回路１１８はフラグや制御変数等を初期化し（ステップＳ１０１）、画像表示部２８の画像表示をＯＦＦ状態に初期設定する（ステップＳ１０２）。
【００８６】
システム制御回路１１８は、モードダイアル６０の設定位置を判断し、モードダイアル６０が電源ＯＦＦに設定されていたならば（ステップＳ１０３）、各表示部の表示を終了状態に変更し、保護手段２０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置２００各部の不要な電源を遮断する等の所定の終了処理を行った後（ステップＳ１０５）、ステップＳ１０３に戻る。
【００８７】
モードダイアル６０が撮影モードに設定されていたならば（ステップＳ１０３）、ステップＳ１０６に進む。モードダイアル６０がその他のモードに設定されていたならば（ステップＳ１０３）、システム制御回路１１８は選択されたモードに応じた処理を実行し（ステップＳ１０４）、処理を終えたならばステップＳ１０３に戻る。
【００８８】
撮影モードでは、システム制御回路１１８は記録媒体を接続するコネクタ９２及び９６に記録媒体が接続されているかを判断し（ステップＳ１０６）、記録媒体が接続されていなければ、表示部５４を用いて画像や音声により所定の警告表示を行った後に（ステップＳ１０７）、記録媒体無しのフラグを設定して（ステップＳ１０８）ステップＳ１３１に進む。記録媒体が接続されていれば、そのままステップＳ１３１に進む。
【００８９】
シャッタースイッチＳＷ１が押されていないならば（ステップＳ１３１）、ステップＳ１０３に戻る。シャッタースイッチＳＷ１が押されたならば（ステップＳ１３１）、システム制御回路１１８は、測距処理を行って撮影レンズ１０の焦点を被写体に合わせ、測光処理を行って絞り値及びシャッター時間を決定する（ステップＳ１３２）。測光処理に於いて、必要であればフラッシュの設定も行う。この測距・測光処理（ステップＳ１３２）の詳細は本発明の主旨と関係ないため省略する。
【００９０】
記録媒体無しのフラグが設定されている場合は、撮影記録動作を行うことができない（ステップＳ１３３）。記録媒体無しのフラグが設定されている場合は、表示部５４を用いて画像や音声により所定の警告表示（Ｓ１３０）を行った後に処理Ｓ１０３に戻る。
【００９１】
シャッタースイッチＳＷ２が押されずに（ステップＳ１３４）、さらにシャッタースイッチＳＷ１も解除されたならば（ステップＳ１３５）、ステップＳ１０３に戻る。シャッタースイッチＳＷ２が押されたならば（ステップＳ１３４）、システム制御回路１１８は負荷試験処理を行う（ステップＳ１３６）。なお、負荷試験処理（Ｓ１３６）の詳細は図６を用いて後述する。
【００９２】
負荷試験がＮＧであれば（ステップＳ１３７）、表示部５４を用いて画像や音声により所定の警告表示（ステップＳ１３８）を行った後に終了処理（ステップＳ１３９）を行い、ステップＳ１０３に戻る。
【００９３】
負荷試験がＯＫであれば（ステップＳ１３７）、システム制御回路１１８は、撮像素子１４、Ａ／Ｄ変換器１６、画像処理回路２０、及びメモリ制御回路２２を介して、或いはＡ／Ｄ変換器から直接メモリ制御回路２２を介して、メモリ３０に撮影した画像データを書き込む露光処理と、メモリ制御回路２２のほかさらに必要に応じて画像処理回路２０とを用いて、メモリ３０に書き込まれた画像データを読み出して各種処理を行う現像処理からなる撮影処理を実行する（ステップＳ１４０）。
【００９４】
この撮影処理Ｓ１４０の詳細は本発明の主旨と関係ないため省略する。システム制御回路１１８は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、演算結果をシステム制御回路１１８の内部メモリ或いはメモリ５２に記憶する。
【００９５】
そして、システム制御回路１１８は、メモリ制御回路２２のほか必要に応じて画像処理回路２０を用いて、メモリ３０の所定領域に書き込まれた撮影画像データを読み出し、また、システム制御回路１１８の内部メモリ或いはメモリ５２に記憶した演算結果を用いて、ＡＷＢ（オートホワイトバランス）処理、ガンマ変換処理、及び色変換処理を含む各種現像処理を行う（ステップＳ１４１）。なお、この現像処理Ｓ１４１の詳細は本発明の主旨と関係ないため省略する。
【００９６】
そして、システム制御回路１１８は、メモリ３０の所定領域に書き込まれた画像データを読み出して、設定したモード応じた画像圧縮処理を圧縮・伸長回路３２により行い（ステップＳ１４２）、メモリ３０の画像記憶バッファ領域の空き画像部分に、撮影して一連の処理を終えた画像データの書き込みを行う。
【００９７】
システム制御回路１１８は、メモリ３０の画像記憶バッファ領域に記憶した画像データを読み出して、インターフェース９０或いは９４、コネクタ９２或いは９６を介して、メモリカードやコンパクトフラッシュ（登録商標）カード等の記録媒体３００或いは３１０へ書き込みを行う記録処理を行う（ステップＳ１４３）。
【００９８】
なお、記録媒体３００或いは３１０へ画像データの書き込みを行っている間、書き込み動作中であることを明示するために、表示部５４において例えばＬＥＤを点滅させる等の記録媒体書き込み動作表示を行う。記録媒体への記録動作が終了したらステップＳ１０３に戻る。
【００９９】
図６は、図４における負荷試験Ｓ１３６の詳細を示すフローチャートである。システム制御回路１１８は、電圧検出回路１１４により内蔵電源の接続のあり、なしを判断して（ステップＳ１５０）、内蔵電源が接続されていれば、実際の回路を動作させる際に過渡的な大電流があるかないかを判断して（ステップＳ１５１）、過渡的な大電流があれば、システム制御回路１１８は、電圧検出回路１１４により擬似負荷１１６を内蔵電源１０６に接続する前の電圧値を測定する（ステップＳ１５２）。その後、擬似負荷１１６を内蔵電源１０６に接続し（ステップＳ１５３）、再度電圧検出回路１１４により擬似負荷１１６を内蔵電源１０６に接続した後の電圧値を測定する（ステップＳ１５４）。測定が終わったら擬似負荷１１６を切断する（ステップＳ１５５）。ここで負荷試験係数Ｂを不揮発性メモリ５６から読み出しセットする（ステップＳ１５６）。負荷試験係数Ｂをセットしたら下記の計算式より電圧降下を演算する（ステップＳ１５７）。
【０１００】
擬似負荷の電圧降下１＝擬似負荷接続前電圧１−擬似負荷接続後電圧１
ピーク電流時の電圧降下＝擬似負荷の電圧降下１×負荷試験係数Ｂ
ここで、擬似負荷の電圧降下１とは、ステップＳ１５２の値からステップＳ１５４の値を引いた値であり、擬似負荷接続前電圧１とは、ステップＳ１５２の値であり、擬似負荷接続後電圧１とは、ステップＳ１５４の値であり、ピーク電流時の電圧降下とは、過渡的な大電流を内部電源１０６で賄った際の電圧降下である。ピーク電流時の電圧降下の演算結果が、所定の値以下であれば（ステップＳ１５８）、システム制御回路１１８は、電圧検出回路１１２により擬似負荷１１５を外部電源１００に接続する前の電圧値を測定する（ステップＳ１５９）。その後、擬似負荷１１５を外部電源１００に接続し（ステップＳ１６０）、再度電圧検出回路１１２により擬似負荷１１５を外部電源１００に接続した後の電圧値を測定する（ステップＳ１６１）。測定が終わったら擬似負荷を切断する（ステップＳ１６２）。ここで負荷試験係数Ａ１を不揮発性メモリ５６から読み出しセットする（ステップＳ１６３）。負荷試験係数Ａ１をセットしたら下記の計算式より電圧降下を演算する（ステップＳ１６４）。
【０１０１】
擬似負荷の電圧降下２＝擬似負荷接続前電圧２−擬似負荷接続後電圧２
記録処理の電圧降下＝擬似負荷の電圧降下２×負荷試験係数Ａ１
ここで、擬似負荷の電圧降下２とは、ステップＳ１５９の値からステップＳ１６１の値を引いた値であり、擬似負荷接続前電圧２とは、ステップＳ１５９の値であり、擬似負荷接続後電圧２とは、ステップＳ１６１の値である。記録処理の電圧降下の演算結果が、所定の値以下であれば（ステップＳ１６５）、負荷試験ＯＫフラグをセットし（ステップＳ１６６）、処理ステップＳ１３７に戻る。
【０１０２】
次にステップＳ１５０において、内蔵電源が接続されていなければ、システム制御回路１１８は、電圧検出回路１１２により擬似負荷１１５を外部電源１００に接続する前の電圧値を測定する（ステップＳ１６８）。その後、擬似負荷１１５を外部電源１００に接続し（ステップＳ１６９）、再度電圧検出回路１１２により擬似負荷１１５を外部電源１００に接続した後の電圧値を測定する（ステップＳ１７０）。測定が終わったら擬似負荷を切断する（ステップＳ１７１）。ここで負荷試験係数Ａ２を不揮発性メモリ５６から読み出しセットする（ステップＳ１７２）。負荷試験係数Ａ２をセットしたら下記の計算式より電圧降下を演算する（ステップＳ１７３）。
【０１０３】
擬似負荷の電圧降下３＝擬似負荷接続前電圧３−擬似負荷接続後電圧３
記録処理の電圧降下＝擬似負荷の電圧降下３×負荷試験係数Ａ２
ここで、擬似負荷の電圧降下３とは、ステップＳ１６８の値からステップＳ１７０の値を引いた値であり、擬似負荷接続前電圧３とは、ステップＳ１６８の値であり、擬似負荷接続後電圧３とは、ステップＳ１７０の値である。記録処理の電圧降下の演算結果が、所定の値以下であれば（ステップＳ１７４）、負荷試験ＯＫフラグをセットし（ステップＳ１７５）、処理ステップＳ１３７に戻る。
【０１０４】
次にステップＳ１５１において、過渡的な大電流がなければ、ステップＳ１６８に進む。
【０１０５】
次にステップＳ１５８において、ピーク電流時の電圧降下の演算結果が、所定の値以上であれば、ステップＳ１６８に進む。
【０１０６】
次にステップＳ１６５において、記録処理の電圧降下の演算結果が、所定の値以上であれば、負荷試験ＮＧフラグをセットし（ステップＳ１６７）、処理ステップＳ１３７に戻る。
【０１０７】
次にステップＳ１７４において、記録処理の電圧降下の演算結果が、所定の値以上であれば、負荷試験ＮＧフラグをセットし（ステップＳ１７６）、処理ステップＳ１３７に戻る。
【０１０８】
本発明は、上述した実施形態の電子機器に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【０１０９】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１１０】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【０１１１】
【図１】本発明の特徴を最もよく表す電子機器のブロック図である。
【図２】本発明の実施形態に係る画像処理装置の概略構成を示すブロック図である。
【図３】実施形態の画像処理装置の主ルーチンのフローチャートである。
【図４】図３の続きのフローチャートである。
【図５】図３の続きのフローチャートである。
【図６】図４における負荷試験の詳細を示すフローチャートである。
【符号の説明】
【０１１２】
８０  電源制御手段
１００，１０１  外部電源
１０２，１０３，１０４，１０５  接続コネクタ
１０６  内蔵電源
１０７  充電制御回路
１０８，１０９，１１０  ＳＷ
１１１  ＤＣ／ＤＣコンバータ
１１２，１１３，１１４  電圧検出回路
１１５，１１６  擬似負荷
１１７  ＳＷ制御回路
１１８  システム制御回路
【図１】
2006090735.tif 000003
【図２】
2006090735.tif 000004
【図３】
2006090735.tif 000005
【図４】
2006090735.tif 000006
【図５】
2006090735.tif 000007
【図６】
2006090735.tif 000008